(57)【要約】【課題】リマーキングに伴う画質の劣化を防止すると共に電子透かし情報に複製制御情報を参照する特例を設けて複製制御の変更をすることができる情報重畳装置、情報重畳方法、情報検出装置、情報検出方法および重畳情報検出システムを提供する。【解決手段】電子透かし情報重畳装置１２は、電子透かし埋め込み情報を発生するＰＮａ発生部３と、情報信号の複製制御のために、情報信号または受信条件に応じて複製制御情報を変化させて発生する複製制御情報発生部５と、ＰＮａ発生部３から読み出された電子透かし情報を情報信号の全領域に重畳すると共に、複製制御情報発生部５から読み出された複製制御情報を情報信号の一部の領域に重畳するＷＭ重畳部７とを備えた。【選択図】　図１
2004080153.tif 000002
【特許請求の範囲】
【請求項１】
情報信号に対応する電子透かし埋め込み情報を、情報信号に重畳する情報重畳装置において、
上記電子透かし埋め込み情報を発生する電子透かし発生手段と、
上記情報信号の複製制御のために、上記情報信号または受信条件に応じて複製制御情報を変化させて発生する複製制御情報発生手段と、
上記電子透かし発生手段から読み出された上記電子透かし情報を上記情報信号に重畳すると共に、上記複製制御情報発生手段から読み出された上記複製制御情報を上記情報信号の一部の領域に重畳する重畳手段と
を備えたことを特徴とする情報重畳装置。
【請求項２】
請求項１記載の情報重畳装置において、
上記複製制御情報発生手段は、上記情報信号の放送方式に応じて複製制御情報を変化させて発生することを特徴とする情報重畳装置。
【請求項３】
請求項１記載の情報重畳装置において、
上記複製制御情報発生手段は、上記受信条件として上記情報信号の垂直帰線期間における上記複製制御情報の出力機能の有無とすることを特徴とする情報重畳装置。
【請求項４】
請求項２記載の情報重畳装置において、
上記情報信号の放送方式として比較的画素数が少ない方式のとき、上記電子透かし情報を「複製１回可」とすることを特徴とする情報重畳装置。
【請求項５】
請求項２記載の情報重畳装置において、
上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」とすることを特徴とする情報重畳装置。
【請求項６】
請求項３記載の情報重畳装置において、
上記受信条件として上記情報信号の垂直帰線期間における上記複製制御情報の出力機能を有しないとき、上記電子透かし情報を「複製１回可」とすることを特徴とする情報重畳装置。
【請求項７】
請求項３記載の情報重畳装置において、
上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」とすることを特徴とする情報重畳装置。
【請求項８】
情報信号に電子透かし埋め込み情報を重畳された情報信号から、上記電子透かし埋め込み情報を検出する情報検出装置において、
上記電子透かし埋め込み情報を発生する電子透かし発生手段と、
上記電子透かし埋め込み情報が重畳された情報信号に対して、上記電子透かし情報および上記情報信号または受信条件に応じて変化される複製制御情報を検出する検出手段と、
上記検出手段の検出出力に基づいて、上記電子透かし情報および上記変化される複製制御情報に基づく複製制御状態を判定する判定手段と
を備えたことを特徴とする情報検出装置。
【請求項９】
請求項８記載の情報検出装置において、
上記判定手段は、上記情報信号の放送方式に応じて複製制御情報を変化させて出力することを特徴とする情報検出装置。
【請求項１０】
請求項８記載の情報検出装置において、
上記判定手段は、上記受信条件として上記情報信号の垂直帰線期間における上記複製制御情報の出力機能の有無とすることを特徴とする情報検出装置。
【請求項１１】
請求項９記載の情報検出装置において、
上記判定手段は、上記情報信号の放送方式として比較的画素数が少ない方式のとき、上記電子透かし情報を「複製１回可」として出力することを特徴とする情報検出装置。
【請求項１２】
請求項９記載の情報検出装置において、
上記判定手段は、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」として出力することを特徴とする情報検出装置。
【請求項１３】
請求項１０記載の情報検出装置において、
上記判定手段は、上記受信条件として上記情報信号の垂直帰線期間における上記複製制御情報の出力機能を有しないとき、上記電子透かし情報を「複製１回可」として出力することを特徴とする情報検出装置。
【請求項１４】
請求項１０記載の情報検出装置において、
上記判定手段は、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」として出力することを特徴とする情報検出装置。
【請求項１５】
情報信号に対応する電子透かし埋め込み情報を、情報信号に重畳する情報重畳方法において、
上記電子透かし埋め込み情報を発生する電子透かし発生ステップと、
上記情報信号の複製制御のために、上記情報信号または受信条件に応じて複製制御情報を変化させて発生する複製制御情報発生ステップと、
上記電子透かし発生ステップから読み出された上記電子透かし情報を上記情報信号に重畳すると共に、上記複製制御情報発生ステップから読み出された上記複製制御情報を上記情報信号の一部の領域に重畳する重畳ステップと
を備えたことを特徴とする情報重畳方法。
【請求項１６】
請求項１５記載の情報重畳方法において、
上記複製制御情報発生ステップは、上記情報信号の放送方式に応じて複製制御情報を変化させて発生することを特徴とする情報重畳方法。
【請求項１７】
請求項１５記載の情報重畳方法において、
上記複製制御情報発生ステップは、上記受信条件として上記情報信号の垂直帰線期間における上記複製制御情報の出力機能の有無とすることを特徴とする情報重畳方法。
【請求項１８】
請求項１６記載の情報重畳方法において、
上記情報信号の放送方式として比較的画素数が少ない方式のとき、上記電子透かし情報を「複製１回可」とすることを特徴とする情報重畳方法。
【請求項１９】
請求項１６記載の情報重畳方法において、
上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」とすることを特徴とする情報重畳方法。
【請求項２０】
請求項１７記載の情報重畳方法において、
上記受信条件として上記情報信号の垂直帰線期間における上記複製制御情報の出力機能を有しないとき、上記電子透かし情報を「複製１回可」とすることを特徴とする情報重畳方法。
【請求項２１】
請求項１７記載の情報重畳方法において、
上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」とすることを特徴とする情報重畳方法。
【請求項２２】
情報信号に電子透かし埋め込み情報を重畳された情報信号から、上記電子透かし埋め込み情報を検出する情報検出方法において、
上記電子透かし埋め込み情報を発生する電子透かし発生ステップと、
上記電子透かし埋め込み情報が重畳された情報信号に対して、上記電子透かし情報および上記情報信号または受信条件に応じて変化される複製制御情報を検出する検出ステップと、
上記検出ステップの検出出力に基づいて、上記電子透かし情報および上記変化される複製制御情報に基づく複製制御状態を判定する判定ステップと
を備えたことを特徴とする情報検出方法。
【請求項２３】
請求項２２記載の情報検出方法において、
上記判定ステップは、上記情報信号の放送方式に応じて複製制御情報を変化させて出力することを特徴とする情報検出方法。
【請求項２４】
請求項２２記載の情報検出方法において、
上記判定ステップは、上記受信条件として上記情報信号の垂直帰線期間における上記複製制御情報の出力機能の有無とすることを特徴とする情報検出方法。
【請求項２５】
請求項２３記載の情報検出方法において、
上記判定ステップは、上記情報信号の放送方式として比較的画素数が少ない方式のとき、上記電子透かし情報を「複製１回可」として出力することを特徴とする情報検出方法。
【請求項２６】
請求項２３記載の情報検出方法において、
上記判定ステップは、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」として出力することを特徴とする情報検出方法。
【請求項２７】
請求項２４記載の情報検出方法において、
上記判定ステップは、上記受信条件として上記情報信号の垂直帰線期間における上記複製制御情報の出力機能を有しないとき、上記電子透かし情報を「複製１回可」として出力することを特徴とする情報検出方法。
【請求項２８】
請求項２４記載の情報検出方法において、
上記判定ステップは、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」として出力することを特徴とする情報検出方法。
【請求項２９】
情報重畳装置において情報信号に電子透かし埋め込み情報を重畳し、情報検出装置において情報信号に電子透かし埋め込み情報が重畳された情報信号から、上記電子透かし埋め込み情報を検出する重畳情報検出システムにおいて、
情報重畳装置は、
上記電子透かし埋め込み情報を発生する電子透かし発生手段と、
上記情報信号の複製制御のために、上記情報信号または受信条件に応じて複製制御情報を変化させて発生する複製制御情報発生手段と、
上記電子透かし発生手段から読み出された上記電子透かし情報を上記情報信号に重畳すると共に、上記複製制御情報発生手段から読み出された上記複製制御情報を上記情報信号の一部の領域に重畳する重畳手段と
を備え、
情報検出装置は、
上記電子透かし埋め込み情報を発生する電子透かし発生手段と、
上記電子透かし埋め込み情報が重畳された情報信号に対して、上記電子透かし情報および上記情報信号または受信条件に応じて変化される複製制御情報を検出する検出手段と、
上記検出手段の検出出力に基づいて、上記電子透かし情報および上記変化される複製制御情報に基づく複製制御状態を判定する判定手段と
を備えたことを特徴とする重畳情報検出システム。
【請求項３０】
請求項２９記載の重畳情報検出システムにおいて、
上記複製制御情報発生手段は、上記情報信号の放送方式に応じて複製制御情報を変化させて発生し、上記判定手段は、上記情報信号の放送方式に応じて複製制御情報を変化させて出力することを特徴とする重畳情報検出システム。
【請求項３１】
請求項２９記載の重畳情報検出システムにおいて、
上記複製制御情報発生手段は、上記受信条件として上記情報信号の垂直帰線期間における上記複製制御情報の出力機能の有無とし、上記判定手段は、上記受信条件として上記情報信号の垂直帰線期間における上記複製制御情報の出力機能の有無とすることを特徴とする重畳情報検出システム。
【請求項３２】
請求項３０記載の重畳情報検出システムにおいて、
上記複製制御情報発生手段は、上記情報信号の放送方式として比較的画素数が少ない方式のとき、上記電子透かし情報を「複製１回可」とし、上記判定手段は、上記情報信号の放送方式として比較的画素数が少ない方式のとき、上記電子透かし情報を「複製１回可」として出力することを特徴とする重畳情報検出システム。
【請求項３３】
請求項３０記載の重畳情報検出システムにおいて、
上記複製制御情報発生手段は、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」とし、上記判定手段は、上記情報信号の放送方式として比較的画素数が少ない方式のとき、上記電子透かし情報を「複製禁止、但し特例有り」とし、上記特例は「複製制御情報が得られるときは複製制御情報に応じた複製制御としてもよい」として出力することを特徴とする重畳情報検出システム。
【請求項３４】
請求項３１記載の重畳情報検出システムにおいて、
上記複製制御情報発生手段は、上記受信条件として上記情報信号の垂直帰線期間における上記複製制御情報の出力機能を有しないとき、上記電子透かし情報を「複製１回可」とし、上記判定手段は、上記受信条件として上記情報信号の垂直帰線期間における上記複製制御情報の出力機能を有しないとき、上記電子透かし情報を「複製１回可」として出力することを特徴とする重畳情報検出システム。
【請求項３５】
請求項３１記載の重畳情報検出システムにおいて、
上記複製制御情報発生手段は、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」とし、上記判定手段は、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」として出力することを特徴とする重畳情報検出システム。
【発明の詳細な説明】
【０００１】
【発明の属する技術分野】
本発明は、例えば、動画像や静止画像、音声、音楽信号などの情報信号に重畳される関連情報に基づいて情報信号の処理を行う情報重畳装置、情報重畳方法、情報検出装置、情報検出方法および重畳情報検出システム
に関するものである。
【０００２】
【従来の技術】
従来、光ディスク等の記録媒体や、放送局等より衛星波や地上波、ケーブル等の伝送媒体を介して伝送されるコンテンツ等について、いわゆる電子透かしにより著作権の保護を図る方法が提案されている。この方法は、ビデオ信号やオーディオ信号等の再生に影響を与えない程度の微小な信号レベルにより、著作権に関するデータの変調信号等をビデオ信号やオーディオ信号に重畳して記録するものである。画像、音声、データ等様々なデジタルコンテンツが劣化のない状態でコピーされたりする可能性のあるデジタルネットワーク時代において、電子透かし技術はコンテンツ自身に情報を埋め込むことにより著作権を保護することのできる有力な技術である。
【０００３】
例えば、デジタルビデオ信号等の画像信号において、電子透かしを実現する手法について説明する。ここでは画像信号の持つ統計的な性質に基づいて、ＰＮ（Ｐｓｅｕｄｏｒａｎｄｏｍ　Ｎｏｉｓｅ）系列の乱数データを基本パターンとして電子透かしを埋め込む場合について考える。簡単のため輝度信号のフレームデータを水平サイズ８画素、垂直サイズ６画素とする。
まず、ＰＮ系列の乱数データＰＮを、以下の数１式とおく。
【０００４】
【数１】
2004080153.tif 000003
【０００５】
この乱数データＰＮは統計的に総和が０になるように生成される。次に埋め込み情報ＤＣをこのような性質を持つ乱数データＰＮによりスペクトラム拡散する。すなわち埋め込み情報ＤＣの極性が「１」の場合には、乱数データＰＮのパターンをそのまま使用することにより、電子透かしパターンＷＭは、以下の数２式となる。
【０００６】
【数２】
2004080153.tif 000004
【０００７】
また埋め込み情報ＤＣの極性が「０」の場合には、乱数データＰＮのパターンを反転したものを使用することにより、電子透かしパターンＷＭは、以下の数３式となる。
【０００８】
【数３】
2004080153.tif 000005
【０００９】
なお埋め込み情報ＤＣが複数の情報ビットから構成される場合には、例えば輝度信号のフレームデータを適当な小領域に分割し、各情報ビットをそれぞれの小領域に対応させればよい。また、例えば互いに直行するような複数の異なる電子透かしパターンを使用し、各情報ビットをそれぞれの電子透かしパターンに対応させればよい。また、これらの手法を組み合わせて使用してもよい。
一方、デジタルビデオ信号等の画像信号において、近接する輝度信号は同程度の画素値を持つという性質から、輝度信号のフレームデータＤＶ１を、以下の数４式とおく。
【００１０】
【数４】
2004080153.tif 000006
【００１１】
電子透かしの埋め込みは、輝度信号のフレームデータＤＶ１に電子透かしパターンＷＭを加算することによって実現する。埋め込み情報ＤＣの極性が「１」の場合には、電子透かしを埋め込んだ輝度信号のフレームデータＤＶ２は、以下の数５式となる。
【００１２】
【数５】
2004080153.tif 000007
【００１３】
このようにして電子透かしを埋め込んだ輝度信号のフレームデータＤＶ２から、埋め込み情報ＤＣを検出するためには、埋め込み時と同一のＰＮ系列の乱数データＰＮを使用する。まず元の輝度信号のフレームデータＤＶ１と乱数データＰＮと内積値Ｐ１は、以下の数６式となる。
【００１４】
【数６】
Ｐ１＝ＤＶ１・ＰＮ＝１
【００１５】
ここで、画素信号の持つ統計的な性質から内積値Ｐ１は「０」近傍の値となる。これに対して電子透かしを埋め込んだ輝度信号のフレームデータＤＶ２と乱数データＰＮとの内積Ｐ２は、埋め込み情報ＤＣの極性が「１」の場合には、以下の数７となる。
【００１６】
【数７】
Ｐ２＝ＤＶ２・ＰＮ＝（ＤＶ１＋ＷＭ）・ＰＮ＝（ＤＶ１＋ＰＮ）・ＰＮ＝Ｐ１＋ＰＮ２　＝１＋４８
【００１７】
また、埋め込み情報ＤＣの極性が「０」の場合には、以下の数８となる。
【００１８】
【数８】
Ｐ２＝ＤＶ２・ＰＮ＝（ＤＶ１＋ＷＭ）・ＰＮ＝（ＤＶ１−ＰＮ）・ＰＮ＝Ｐ１−ＰＮ２　＝１−４８
【００１９】
すなわち内積値Ｐ２の絶対値は、乱数データＰＮ２　近傍の値となる。元の輝度信号のフレームデータＤＶ１と乱数データＰＮの内積値Ｐ１および電子透かしを埋め込んだ輝度信号のフレームデータＤＶ２と乱数データＰＮの内積値Ｐ２を様々な画像に対して計算すると、内積値Ｐ１およびＰ２の分布は所定の確率密度関数で表現することができる。したがって、以下の数９式のように、適当な非負の閾値ＴＨを設定することによって、電子透かしを埋め込んだ輝度信号のフレームデータＤＶ２から埋め込み情報ＤＣを検出することができる。
【００２０】
【数９】
Ｐ２≦−ＴＨ・・・電子透かしあり（極性「０」）
｜Ｐ２｜＜ＴＨ・・・電子透かしなし
Ｐ２≧ＴＨ・・・電子透かしあり（極性「１」）
【００２１】
実際に電子透かしを実現する際には、電子透かし検出の信頼性と、電子透かしの画質に及ぼす影響の２点が重要なポイントである。電子透かしの有無を正確に判別するためには、上述した「電子透かしあり」の場合の確立密度関数と、「電子透かしなし」の場合の確立密度関数の分離を精度良く行うような閾値ＴＨを設定しなければならない。しかし実際には確率密度関数の裾野が重なり合い、電子透かしの有無を正確に判別できるような閾値ＴＨの選択は難しい。電子透かしが埋め込まれていないのに「電子透かしあり」と判断されてしまう確率を特にＦａｌｓｅ　Ｐｏｓｉｔｉｖｅと呼び、健全なコンテンツ流通を保証するためには極めて小さいＦａｌｓｅ　Ｐｏｓｉｔｉｖｅ値が要求される。したがって電子透かし検出の信頼性を向上するためには、以下の数１０式で示すように、非負のスカラーＣを用いて電子透かしの埋め込み強度を大きくする。
【００２２】
【数１０】
ＤＶ２＝ＤＶ１＋ＣＷＭ
【００２３】
【数１１】
Ｐ２＝ＤＶ２・ＰＮ＝（ＤＶ１＋ＣＷＭ）・ＰＮ＝（ＤＶ１±ＣＰＮ）・ＰＮ＝Ｐ１±ＣＰＮ２　
【００２４】
ここで、数１１式で示すように、電子透かしを埋め込んだ輝度信号のフレームデータＤＶ２と乱数データＰＮの内積値Ｐ２を十分に大きくすればよい。
しかし、このようにして電子透かしの埋め込み強度を大きくした場合、電子透かしの画質に及ぼす影響は無視できないものになってしまう。電子透かしの検出の信頼性と電子透かしの画質に及ぼす影響とは、トレードオフの関係にある。
【００２５】
電子透かしの検出の信頼性を確保しつつ、電子透かしの画質に及ぼす影響を極力抑えるためには、人間の視覚特性を効果的に利用して電子透かしを埋め込む手法が提案されている。これらの手法は人間の視覚特性を考慮して、電子透かしパターンを画像内で配分し直すものや、電子透かしパターンを画像の動きに追従させるもの等であり、全体の埋め込み強度を変えることなく電子透かしの画質に及ぼす影響を効果的に抑えている。
【００２６】
人間の目は平坦部分等の低周波領域での変化には敏感であるが、エッジ部分等の高周波領域での変化には鈍感である。これを利用して電子透かしパターンを目立ちやすい平坦部分から目立ちにくいエッジ部分へと再配分することにより、電子透かし検出の信頼性を確保しつつ、電子透かしの画質に及ぼす影響を抑えることができる。また画像が静止している場合には電子透かしパターンも静止させ、画像が動いている場合には電子透かしパターンも追従して動かすことにより、人間の目に感知しにくくなるように電子透かしを埋め込むことができる。
【００２７】
さらには電子透かしを埋め込んだ画像に対して、画像フォーマット変換、デジタル−アナログ変換、ＭＰＥＧ（Ｍｏｖｉｎｇ　Ｐｉｃｔｕｒｅ　Ｅｘｐｅｒｔｓ　Ｇｒｏｕｐ）圧縮、フィルタリング、クリッピング、リサイズ、ローテーション等の種々の攻撃を加えた場合にも、埋め込まれた電子透かし情報は正しく検出されなければならない。著作権を不当に侵そうとする者は、電子透かしを埋め込んだ画像に対して悪意を持ってこれらの攻撃を加える恐れがある。そこでこれらの攻撃に対する耐性を強化して、電子透かし検出の信頼性を確保するために、様々な手法が提案されている。しかしあらゆる攻撃に対して頑強な耐性を有するような電子透かし技術は未だ開発されておらず、早急な対策が望まれている。
【００２８】
電子透かし検出の信頼性と電子透かしの画質に及ぼす影響とはトレードオフの関係にあり、検出精度を向上するために電子透かしの埋め込み強度を大きくすると画質の劣化が無視できないものになり、画質に及ぼす影響を抑制するために電子透かしのうめ込み強度を小さくすると検出の信頼性が確保できなくなる。電子透かしの重畳・検出に際しては様々な方式が提案されているが、信頼性の高く安定した検出特性と劣化を知覚できないレベルの画質特性は未だ達成されておらず、これらを両立した電子透かし埋め込み方法を効果的に実現する必要がある。
【００２９】
また、近年、インターネット、デジタルビデオディスクなどのデジタルコンテンツの普及に伴い、このデジタルコンテンツについての不正な複製による著作権侵害が問題となっている。そこで、この問題に対処するため、デジタルコンテンツに複製制御のための情報を付加して、この付加情報を用いて、不正な複製を防止することが考えられている。
【００３０】
この複製防止のための制御としては、情報ソースに応じて、全く複製を認めない場合と、１回は複製を認めるが、１回複製されたものからの複製を禁止する場合（世代制限の複製制御方式）とが考えられている。後者の世代制限の複製制御方式の場合には、有効に複製世代の制御ができる方式が望まれている。この複製世代の管理が行える複製世代制御情報の方式としては、ＣＧＭＳ（Ｃｏｐｙ　Ｇｅｎｅｒａｔｉｏｎ　Ｍａｎａｇｅｍｅｎｔ　Ｓｙｓｔｅｍ）方式が提案されている。
【００３１】
このＣＧＭＳ方式は、アナログ映像信号（ＣＧＭＳ−Ａと呼ばれる）であれば、その輝度信号の垂直ブランキング期間内の特定の１水平区間、例えば、ＮＴＳＣ信号の場合には、第２０水平区間の有効映像部分に重畳する２０ビットの付加情報のうちの２ビットを複製制御用の情報として重畳し、また、デジタル映像信号（ＣＧＭＳ−Ｄと呼ばれる）であれば、デジタル映像データに挿入付加する付加情報として、複製制御用の２ビットの情報を含めて伝送する方式である。
【００３２】
このＣＧＭＳ方式の場合の２ビットの情報（以下、ＣＧＭＳ情報という）の意味内容は、［００］・・・複製可能、［１０］・・・１回複製可能（１世代だけ複製可能）、［１１］・・・複製禁止（絶対複製禁止）、である。
【００３３】
映像情報に付加されたＣＧＭＳ情報が［１０］であった場合に、ＣＧＭＳ対応の記録装置では、その映像情報の複製記録が可能であると判断して記録を実行するが、記録された映像信号には［１１］に書き換えられたＣＧＭＳ情報が付加される。そして、記録しようとする映像情報に付加されたＣＧＭＳ情報が［１１］の場合には、ＣＧＭＳ対応の記録装置では、その画像信号の複製記録は禁止であるとして記録の実行が禁止される。
【００３４】
また、特開２０００−１４９４１３号公報には、ＣＧＭＳ情報などの複製世代管理のための付加情報を常に正しい状態に保持して、常に適正な複製世代制限制御が行えることを目的として、複製世代管理のために、電子透かし情報による付加情報と、他の付加情報とを情報信号に付加し、電子透かし情報による付加情報に基づいて、ＣＧＭＳ情報などの他の付加情報の書き換え管理をする複製世代管理方法が開示されている。
【００３５】
また、一般に、無料放送においては私的録画の範囲で記録が許され、有料放送でチャンネル課金の場合は複製が１回許され、番組単位に課金されるいわゆるペイ・パー・ビュー（Ｐａｙ　Ｐｅｒ　Ｖｉｅｗ）では記録禁止に複製制御するということが業界間の合意である。この合意に基づく複製制御をアナログ接続された機器においても機能できる方法として、電子透かしを用いる複製制御が脚光を浴びている。特に、複製を１回のみ許す方法として複製を１回行う際に「これ以上の複製不可」という意味の電子透かしを情報信号に埋め込むリマークと呼ばれる方法が提案されている。
【００３６】
【発明が解決しようとする課題】
しかし、上述した従来のリマークを用いた場合、高精細度テレビジョン放送方式（Ｈｉｇｈ　Ｄｅｆｉｎｉｔｉｏｎ，以下、ＨＤＴＶ方式という）のトランスポートストリームでは、１番組のＨＤＴＶ方式のストリームである場合と、複数の視点に基づく複数の画面情報が１本のストリームに多重化されている場合がるが、このストリームを記録するのにトランスポートストリームのまま記録したほうが、再生でも複数の画面から任意の画面を選択することができるので、便利である。しかし、複数画面の全てにリマークを行うことは、回路構成及び動作が複雑化し、画質劣化が増加し、特に民生機器にとってはコストの負担が大きくなるという不都合があった。
【００３７】
また、電子透かし情報重畳装置において最初から「複製不可」の制御状態を意味する電子透かし情報を情報信号に埋め込んでおき、電子透かし情報検出装置においてストリーム中からＣＧＭＳに基づく複製制御信号を得て、この複製制御信号に基づいて情報信号の複製を行う場合には、その複製制御信号を「複製１回可」の制御状態から「これ以上複製不可」の制御状態に変えるようにし、その複製制御信号が得られた場合は電子透かし情報が「複製不可」の制御状態であってもその複製制御信号が「複製１回可」の制御状態であれば複製を許す複製制御方法があった。
【００３８】
しかし、上述した複製制御方法の場合には、従来の標準テレビジョン放送方式（Ｓｔａｎｄａｒｄ　Ｄｅｆｉｎｉｔｉｏｎ，以下、ＳＤＴＶ方式という）のセットトップボックスの電子透かし情報検出装置においては、ストリーム中から電子透かし情報以外に複製制御信号を取り出す機能が設けられていないものが多いので、電子透かし情報重畳装置において最初から「複製不可」の制御状態を意味する電子透かし情報を情報信号に埋め込んでしまうと、本来情報信号の複製を１回許す複製制御を行わなければならない場合でも、「複製不可」の制御状態を意味する電子透かし情報に基づいて情報信号の複製が禁止される複製制御が行われてしまうため、このようなセットトップボックスの電子透かし情報検出装置に対しては、電子透かし情報重畳装置から、「複製不可」の制御状態を意味する電子透かし情報を情報信号に埋め込んで送信することは許されないという不都合があった。
【００３９】
また、一方、近年のＢＳ（Ｂｒｏａｄｃａｓｔ　Ｓａｔｅｌｉｔｅ）デジタル放送方式などでは、１本のストリームで複数の画面情報を送る場合があり、この画面情報を記録する際には、セットトップボックスに複製制御信号を入力するためのデジタルインターフェースが必要となるので、ストリーム中から電子透かし情報以外に複製制御信号を取り出す機能を設ける意義が大きい。
【００４０】
また、近年、ＨＤＴＶ方式対応の記録装置はほとんどの場合セットトップボックス内蔵であるので、ストリーム中から複製制御信号を得ることができ、また、外部から複製制御信号を取り込む場合もデジタルインターフェースから取り込むことができる。
【００４１】
そこで、本発明は、かかる点に鑑みてなされたものであり、リマーキングに伴う画質の劣化を防止すると共に電子透かし情報に複製制御情報を参照する特例を設けて複製制御の変更をすることができる情報重畳装置、情報重畳方法、情報検出装置、情報検出方法および重畳情報検出システムを提供することを課題とする。
【００４２】
【課題を解決するための手段】
本発明の情報重畳装置は、情報信号に対応する電子透かし埋め込み情報を、情報信号に重畳する情報重畳装置において、上記電子透かし埋め込み情報を発生する電子透かし発生手段と、上記情報信号の複製制御のために、上記情報信号または受信条件に応じて複製制御情報を変化させて発生する複製制御情報発生手段と、上記電子透かし発生手段から読み出された上記電子透かし情報を上記情報信号に重畳すると共に、上記複製制御情報発生手段から読み出された上記複製制御情報を上記情報信号の一部の領域に重畳する重畳手段とを備えたものである。
【００４３】
また、本発明の情報検出装置は、情報信号に電子透かし埋め込み情報を重畳された情報信号から、上記電子透かし埋め込み情報を検出する情報検出装置において、上記電子透かし埋め込み情報を発生する電子透かし発生手段と、上記電子透かし埋め込み情報が重畳された情報信号に対して、上記電子透かし情報および上記情報信号または受信条件に応じて変化される複製制御情報を検出する検出手段と、上記検出手段の検出出力に基づいて、上記電子透かし情報および上記変化される複製制御情報に基づく複製制御状態を判定する判定手段とを備えたものである。
【００４４】
また、本発明の情報重畳方法は、情報信号に対応する電子透かし埋め込み情報を、情報信号に重畳する情報重畳方法において、上記電子透かし埋め込み情報を発生する電子透かし発生ステップと、上記情報信号の複製制御のために、上記情報信号または受信条件に応じて複製制御情報を変化させて発生する複製制御情報発生ステップと、上記電子透かし発生ステップから読み出された上記電子透かし情報を上記情報信号に重畳すると共に、上記複製制御情報発生ステップから読み出された上記複製制御情報を上記情報信号の一部の領域に重畳する重畳ステップとを備えたものである。
【００４５】
また、本発明の情報検出方法は、情報信号に電子透かし埋め込み情報を重畳された情報信号から、上記電子透かし埋め込み情報を検出する情報検出方法において、上記電子透かし埋め込み情報を発生する電子透かし発生ステップと、上記電子透かし埋め込み情報が重畳された情報信号に対して、上記電子透かし情報および上記情報信号または受信条件に応じて変化される複製制御情報を検出する検出ステップと、上記検出ステップの検出出力に基づいて、上記電子透かし情報および上記変化される複製制御情報に基づく複製制御状態を判定する判定ステップとを備えたものである。
【００４６】
また、本発明の重畳情報検出システムは、情報重畳装置において情報信号に電子透かし埋め込み情報を重畳し、情報検出装置において情報信号に電子透かし埋め込み情報が重畳された情報信号から、上記電子透かし埋め込み情報を検出する重畳情報検出システムにおいて、情報重畳装置は、上記電子透かし埋め込み情報を発生する電子透かし発生手段と、上記情報信号の複製制御のために、上記情報信号または受信条件に応じて複製制御情報を変化させて発生する複製制御情報発生手段と、上記電子透かし発生手段から読み出された上記電子透かし情報を上記情報信号に重畳すると共に、上記複製制御情報発生手段から読み出された上記複製制御情報を上記情報信号の一部の領域に重畳する重畳手段とを備え、情報検出装置は、上記電子透かし埋め込み情報を発生する電子透かし発生手段と、上記電子透かし埋め込み情報が重畳された情報信号に対して、上記電子透かし情報および上記情報信号または受信条件に応じて変化される複製制御情報を検出する検出手段と、上記検出手段の検出出力に基づいて、上記電子透かし情報および上記変化される複製制御情報に基づく複製制御状態を判定する判定手段とを備えたものである。
【００４７】
従って本発明によれば、以下の作用をする。
本発明の情報重畳装置において、電子透かし発生手段は電子透かし埋め込み情報を発生するように作用する。複製制御情報発生手段は情報信号の複製制御のために、情報信号または受信条件に応じて複製制御情報を変化させて発生するように作用する。重畳手段は電子透かし発生手段から読み出された電子透かし情報を情報信号に重畳すると共に、複製制御情報発生手段から読み出された複製制御情報を情報信号の一部の領域に重畳するように作用する。
【００４８】
また、本発明の情報検出装置において、電子透かし発生手段は電子透かし埋め込み情報を発生するように作用する。検出手段は電子透かし埋め込み情報が重畳された情報信号に対して、電子透かし情報および情報信号または受信条件に応じて変化される複製制御情報を検出するように作用する。判定手段は検出手段の検出出力に基づいて、電子透かし情報および変化される複製制御情報に基づく複製制御状態を判定するように作用する。
【００４９】
また、本発明の情報重畳方法において、電子透かし発生ステップは電子透かし埋め込み情報を発生するように作用する。複製制御情報発生ステップは情報信号の複製制御のために、情報信号または受信条件に応じて複製制御情報を変化させて発生するように作用する。重畳ステップは電子透かし発生ステップから読み出された電子透かし情報を情報信号に重畳すると共に、複製制御情報発生ステップから読み出された複製制御情報を情報信号の一部の領域に重畳するように作用する。
【００５０】
また、本発明の情報検出方法において、電子透かし発生ステップは電子透かし埋め込み情報を発生するように作用する。検出ステップは電子透かし埋め込み情報が重畳された情報信号に対して、電子透かし情報および情報信号または受信条件に応じて変化される複製制御情報を検出するように作用する。判定ステップは検出ステップの検出出力に基づいて、電子透かし情報および変化される複製制御情報に基づく複製制御状態を判定するように作用する。
【００５１】
また、本発明の重畳情報検出システムにおいても各手段は情報重畳装置および情報検出装置と同様に作用する。
【００５２】
【発明の実施の形態】
以下に、本発明の実施の形態について図面を参照しながら具体的に説明する。
まず、電子透かし重畳装置側で情報信号に電子透かし情報を重畳する際に、情報信号の有料判定、課金判定、放送方式判定および受信機判定により複製制御情報を変化させて発生させて情報信号に重畳する場合を説明する。
【００５３】
図１は、本実施の形態に適用される電子透かし情報重畳装置の構成例を示すブロック図である。この重畳処理は、放送側で行われる。
【００５４】
図１に示す電子透かし情報重畳装置１２においては、例えば、映像信号Ｖｉの垂直同期信号が同期検出部１で検出され、その検出出力がタイミング信号発生部２に供給される。タイミング信号発生部２は、垂直同期信号に同期したタイミング信号を発生する。ＰＮａ発生部３は、タイミング信号発生部２からのタイミング信号に同期して、垂直周期で繰り返すＰＮ符号列を発生して、そのＰＮ符号列をＳＳ（スペクトラム拡散）拡散部４に供給する。
【００５５】
また、複製制御情報（ＣＣＩ（Ｃｏｐｙ　Ｃｏｎｔｏｒｏｌ　Ｉｎｆｏｒｍａｔｉｏｎ））発生部５は、タイミング信号発生部２からのタイミング信号に同期して、映像信号ｖｉの画素部分に対応する範囲に電子透かし情報として重畳しようとする複製制御情報を発生し、ＳＳ拡散部４に供給する。ここで、ＣＣＩは、電子透かし情報ＷＭおよびＣＧＭＳ−Ａ情報を含むものである。
【００５６】
また、複製制御情報発生部５は、タイミング信号発生部２からのタイミング信号に同期して、映像信号ｖｉの垂直帰線期間に２ビットからなる複製制御情報（ＣＣＩ）を重畳しようとする複製制御情報（ＣＣＩ）を、有料判定部８からの有料判定情報、課金判定部９からの課金判定情報、放送方式判定部１０からの放送方式判定情報および受信機判定部１１からの受信機判定情報により複製制御情報を変化させて発生させて、ＳＳ拡散部４に供給する。
【００５７】
この場合、重畳しようとする複製制御情報は、伝送しようとする情報に応じて決定され、例えば、「複製自由（Ｃｏｐｙ　Ｆｒｅｅ）」、「１回複製可（Ｃｏｐｙ　Ｏｎｃｅ）」、「複製禁止（Ｎｅｖｅｒ　ｃｏｐｙ　ｏｒ　Ｃｏｐｙ　Ｐｒｏｔｅｃｔｉｏｎ）」などを意味する情報が発生される。
【００５８】
ＳＳ拡散部４は、複製制御情報（ＣＣＩ）とＰＮ符号列とを乗算して、スペクトラム拡散信号を生成する。そして、このスペクトラム拡散信号をレベル調整部６を通じて電子透かし情報ＷＭ重畳部７に供給して、入力映像信号Ｖｉに電子透かし情報ＷＭおよび複製制御情報ＣＣＩとして重畳する。レベル調整部６は、電子透かし情報が映像信号のダイナミックレンジより小さいレベルで重畳される。ウオーターマークＷＭを示す電子透かし情報は、従来の技術に示したような手法を用いて情報信号に重畳されている。
【００５９】
図１で示した電子透かし情報重畳装置で電子透かし情報ＷＭおよび複製制御情報ＣＣＩが重畳された映像信号の画像データは、図示しないＭＰＥＧ符号化器に供給されて、ＭＰＥＧ方式により高能率符号化されて、ビットストリームとされ、出力される。
【００６０】
次に、このように構成された図１に示す電子透かし情報重畳装置１２の動作を説明する。図４は、放送側の動作を示すフローチャートである。図４の動作の主体は放送側の複製制御情報発生部５である。
【００６１】
図４において、ステップＳ１で、放送のための処理が開始される。そして、ステップＳ２で、放送される情報信号の受信が有料であるか否かを判断する。ステップＳ２で有料のときは、ステップＳ３で、放送される情報信号の課金方式がＰａｙ　Ｐｅｒ　Ｖｉｅｗであるか否かを判断する。ステップＳ３でＰａｙ　Ｐｅｒ　Ｖｉｅｗでないときは、ステップＳ４で、放送される情報信号の放送方式がＳＤＴＶ方式またはＨＤＴＶ方式であるか否かを判断する。ステップＳ４でＳＤＴＶ方式のときは、ステップＳ５で、放送される情報信号の受信をする受信機がＣＧＭＳ−Ａ発生義務を有しているか否かを判断する。
【００６２】
具体的には、複製制御情報発生部５は、有料判定部８からの有料判定情報が有料を示すものであるか否かを判断する。複製制御情報発生部５は、課金判定部９からの課金判定情報がＰａｙ　Ｐｅｒ　Ｖｉｅｗを示すものであるか否かを判断する。複製制御情報発生部５は、放送方式判定部１０からの放送方式判定情報がＳＤＴＶ方式またはＨＤＴＶ方式を示すものであるか否かを判断する。複製制御情報発生部５は、受信機判定部１１からの受信機判定情報が放送される情報信号の受信をする受信機がＣＧＭＳ−Ａ発生義務を有することを示すものか否かを判断する。
【００６３】
ステップＳ２で有料で無いときは、ステップＳ１０へ進み、ＣＣＩを「複製自由（Ｃｏｐｙ　Ｆｒｅｅ）」の複製制御状態にする。具体的には、複製制御情報発生部５は、ＣＣＩを「複製自由（Ｃｏｐｙ　Ｆｒｅｅ）」の複製制御状態にする。
【００６４】
ステップＳ３で情報信号がＰａｙ　Ｐｅｒ　Ｖｉｅｗのときは、ステップＳ１１へ進み、ＣＣＩを「複製禁止（Ｎｅｖｅｒ　ｃｏｐｙ　ｏｒ　Ｃｏｐｙ　Ｐｒｏｔｅｃｔｉｏｎ）」の複製制御状態にする。具体的には、複製制御情報発生部５は、ＣＣＩを「複製禁止（Ｎｅｖｅｒ　ｃｏｐｙ　ｏｒ　Ｃｏｐｙ　Ｐｒｏｔｅｃｔｉｏｎ）」の複製制御状態にする。
【００６５】
ステップＳ４でＨＤＴＶ方式のとき、およびステップＳ５で、放送される情報信号の受信をする受信機がＣＧＭＳ−Ａ発生義務を有している場合は、ステップＳ６へ進む。ステップＳ６で、電子透かし情報ＷＭを「複製禁止、但し特例あり」の複製制御状態にする。
【００６６】
具体的には、複製制御情報発生部５は、有料判定部８からの有料判定情報が有料を示すものであり、課金判定部９からの課金判定情報がＰａｙ　Ｐｅｒ　Ｖｉｅｗを示すものでなく、放送方式判定部１０からの放送方式判定情報がＨＤＴＶ方式を示すものであるとき、またはＳＤＴＶ方式であって受信機判定部１１からの受信機判定情報が放送される情報信号の受信をする受信機がＣＧＭＳ−Ａ発生義務を有することを示すものであるときには、電子透かし情報ＷＭを「複製禁止、但し特例あり」の複製制御状態にする。
【００６７】
ステップＳ７で特例であるか否かの判断をする。ステップＳ７で特例のときは、ステップＳ８で、ストリーム中のＣＣＩ取り出し可能であるか否かを判断する。ステップＳ８でストリーム中のＣＣＩ取り出し可能のときは、ステップＳ９でＣＣＩを「１回複製可（Ｃｏｐｙ　Ｏｎｃｅ）」の複製制御状態にする。
【００６８】
電子透かし情報ＷＭを「複製禁止」の複製制御状態にするときであっても、特例として、受信機判定部１１からの受信機判定情報が放送される情報信号の受信をする受信機がストリーム中のＣＣＩ取り出し可能であると判定されるときは、ＣＣＩを「１回複製可（Ｃｏｐｙ　Ｏｎｃｅ）」の複製制御状態にする。
【００６９】
ステップＳ４でＳＤＴＶ方式のとき、かつステップＳ５で、放送される情報信号の受信をする受信機がＣＧＭＳ−Ａ発生義務を有していないときは、ステップＳ１２へ進む。ステップＳ１２で、電子透かし情報ＷＭを「１回複製可（Ｃｏｐｙ　Ｏｎｃｅ）」の複製制御状態にする。
【００７０】
具体的には、複製制御情報発生部５は、放送方式判定部１０からの放送方式判定情報がＳＤＴＶ方式を示すものであるときで、しかも、受信機判定部１１からの受信機判定情報が放送される情報信号の受信をする受信機がＣＧＭＳ−Ａ発生義務を有するものでないことを示すものであるときには電子透かし情報ＷＭを「１回複製可（Ｃｏｐｙ　Ｏｎｃｅ）」の複製制御状態にする。
【００７１】
これにより、電子透かし情報重畳装置において、電子透かし情報ＷＭの埋め込みの処理を簡略化して、送信時の処理を少なくすることができる。
【００７２】
次に、電子透かし検出装置側で情報信号に重畳された電子透かし情報を検出する際に、電子透かし情報ＷＭの特例により複製制御情報ＣＣＩを変化させて情報信号を記録する場合を説明する。
【００７３】
図２は、セットトップボックスの構成を示すブロック図である。この検出処理は、受信側で行われる。このセットトップボックスのようにＨＤＤ（Ｈａｒｄ　Ｄｉｓｃ　Ｄｒｉｖｅ）内蔵受信機の例では、すべての複製制御処理に関して同一筺体内には使用者が改造してより制限のゆるい複製制御とすることができないように設計されているものとする。すなわち、放送側から送られた複製制御情報ＣＣＩは安全に取り出して機能することができるものとする。
【００７４】
図２に示すように、ユーザーの選局操作に応じた選局制御信号がコントロール部３１から選局部２１に供給されることにより、選局部２１では選局されたチャンネルの信号は、デ・スクランブル部２２に供給されて、放送信号に施されているスクランブルを解くデ・スクランブル処理が施される。そして、デ・スクランブルされたチャンネルの信号は、デ・マルチプレクス部２３に供給される。このデ・マルチプレクス部２３では、選局部２１からの出力信号には、複数の放送番組が包含されていることから、コントロール部３１からのユーザーの放送番組の選択操作に応じた放送番組のデータが抽出される。
【００７５】
このデ・マルチプレクス部２３からの放送番組のビデオデータＤｉは、記録部２４に供給される。
【００７６】
デ・マルチプレクス部２３からの放送番組のビデオデータＤｉは、電子透かし情報ＷＭデコード部２８に供給される。そして、電子透かし情報ＷＭデコード部２８において、放送番組データに付加されている電子透かし情報ＷＭが抽出されるとともに、複製制御情報ＣＣＩが判別される。その電子透かし情報ＷＭおよび複製制御情報ＣＣＩの判別出力はコントロール部３１に供給される。
【００７７】
図３は、電子透かし情報検出装置の構成を示すブロック図である。図３は、図２に示したセットトップボックスの電子透かし情報ＷＭデコード部２８に対応するものである。
【００７８】
図２に示したデ・マルチプレクス部２３からの放送番組のＤｉはビデオデータ、図３において、逆拡散部４４に供給されると共に、同期検出部４１　に供給される。同期検出部４１は、垂直同期タイミングを検出し、その検出タイミングをタイミング信号発生部４２に供給する。
【００７９】
タイミング信号発生部４２は、ＰＮａ発生部４３に垂直同期タイミング信号を供給する。このＰＮａ発生部４３は、図１に示した電子透かし重畳装置のＰＮａ発生部３と同じＰＮ符号系列を発生するもので、重畳側と同じ垂直同期タイミングでＰＮ符号系列を発生する。このＰＮａ発生部３からのＰＮ符号系列は、逆拡散部４４に供給されて、放送番組データに付加されている電子透かし情報ＷＭが抽出されるとともに、複製制御情報ＣＣＩが得られる。この電子透かし情報ＷＭおよび複製制御情報ＣＣＩはＷＭ判定部４５に供給されて、複製制御状態が判定される。このようにして、電子透かし情報ＷＭデコード部２８において複製制御状態が判別される。その電子透かし情報ＷＭおよび複製制御情報ＣＣＩの判別出力はコントロール部３１に供給される。
【００８０】
ここで、ストリーム中の電子透かし情報ＷＭおよび複製制御情報ＣＣＩの判別出力は、情報信号の課金方式がＰａｙ　Ｐｅｒ　Ｖｉｅｗのときは、ＣＣＩを「複製禁止（Ｎｅｖｅｒ　ｃｏｐｙ　ｏｒ　Ｃｏｐｙ　Ｐｒｏｔｅｃｔｉｏｎ）」の複製制御状態にするものである。また、情報信号の放送方式がＨＤＴＶ方式のとき、および、放送される情報信号の受信をする受信機がＣＧＭＳ−Ａ発生義務を有しているときは、電子透かし情報ＷＭを「複製禁止、但し特例あり」の複製制御状態にするものである。また、特例のときは、ストリーム中のＣＣＩ取り出し可能のとき、ＣＣＩを「１回複製可（Ｃｏｐｙ　Ｏｎｃｅ）」の複製制御状態にするものである。
【００８１】
また、放送方式がＳＤＴＶ方式であるときで、しかも、放送される情報信号の受信をする受信機がＣＧＭＳ−Ａ発生義務を有するものでないときには電子透かし情報ＷＭを「１回複製可（Ｃｏｐｙ　Ｏｎｃｅ）」の複製制御状態にするものである。また、情報信号が有料で無いときは、ＣＣＩを「複製自由（Ｃｏｐｙ　Ｆｒｅｅ）」の複製制御状態にするものである。
【００８２】
従って、コントロール部３１からのコントロール信号により、情報信号の課金方式がＰａｙ　Ｐｅｒ　Ｖｉｅｗのとき、ＣＣＩが「複製禁止（Ｎｅｖｅｒ　ｃｏｐｙ　ｏｒ　Ｃｏｐｙ　Ｐｒｏｔｅｃｔｉｏｎ）」の複製制御状態のときは、記録部２４では、情報信号の記録は停止される。
【００８３】
また、コントロール部３１からのコントロール信号により、情報信号の放送方式がＨＤＴＶ方式のとき、および、放送される情報信号の受信をする受信機がＣＧＭＳ−Ａ発生義務を有しているとき、電子透かし情報ＷＭが「複製禁止、但し特例あり」の複製制御状態にし、特例のときは、ストリーム中のＣＣＩ取り出し可能のとき、ＣＣＩを「１回複製可（Ｃｏｐｙ　Ｏｎｃｅ）」の複製制御状態のときは、記録部２４では、情報信号の記録は１回のみ行われ、ＣＧＭＳ−Ａ部２７においてＣＣＩを「これ以上複製不可」に変更してＨＤＴＶ方式の情報信号が出力される。また、ＡＰＳ（Ａｎａｌｏｇ　Ｐｒｏｔｅｃｉｏｎ　Ｓｙｓｔｏｍ）およびＣＧＭＳ−Ａ部３３においてＣＣＩを「これ以上複製不可」に変更してＨＤ／ＳＤ変換部２９によりダウンコンバートされたＳＤＴＶ方式の情報信号が出力される。
【００８４】
また、コントロール部３１からのコントロール信号により、放送方式がＳＤＴＶ方式であるときで、しかも、放送される情報信号の受信をする受信機がＣＧＭＳ−Ａ発生義務を有するものでないときには電子透かし情報ＷＭが「１回複製可（Ｃｏｐｙ　Ｏｎｃｅ）」の複製制御状態のときは、記録部２４では、情報信号の記録は１回のみ行われ、ＣＧＭＳ−Ａ部２７においてＳＤＴＶ方式の情報信号が出力される。また、ＡＰＳおよびＣＧＭＳ−Ａ部３３においてＨＤ／ＳＤ変換部２９をスルーされたＳＤＴＶ方式の情報信号が出力される。
【００８５】
また、コントロール部３１からのコントロール信号により、、情報信号が有料で無いとき、ＣＣＩが「複製自由（Ｃｏｐｙ　Ｆｒｅｅ）」の複製制御状態のときは、記録部２４では、情報信号の記録は制限なく行われ、ＣＧＭＳ−Ａ部２７においてＳＤＴＶ方式の情報信号が出力される。また、ＡＰＳおよびＣＧＭＳ−Ａ部３３においてＨＤ／ＳＤ変換部２９によりスルーされたＳＤＴＶ方式の情報信号が出力される。
【００８６】
なお、デ・マルチプレクス部２３からの放送番組のビデオデータＤｉは、ＭＰＥＧ方式で圧縮符号化されている。このため、例えば後述するＣＧＭＳ−Ａ部２７およびＡＰＳおよびＣＧＭＳ−Ａ部３３からディスプレイモニタに出力するために、暗号解凍部２５でＣＳＳ（Ｃｏｎｔｅｎｔｓ　Ｓｃｒａｍｂｌｅ　Ｓｙｓｔｅｍ）方式の暗号化が解凍され、ＭＰＥＧ復号部２６で圧縮符号化されているデータが伸張処理されて元の信号に戻される。
【００８７】
次に、このように構成された図２に示すセットトップボックスおよび図３に示した電子透かし情報検出装置２８の動作を説明する。図５は、受信側の動作を示すフローチャートである。図５の動作の主体は受信側の図２に示すコントロール部３１および図３に示すＷＭ判定部４５である。
【００８８】
ステップＳ２１で、受信処理が開始される。そして、ステップＳ２２で、外部入力アナログインターフェースしかない場合で電子透かし情報ＷＭが検出可能であるか否かを判断する。
【００８９】
具体的には、セットトップボックス３４のコントロール部３１は、外部入力がアナログインターフェースしかないことを認識する。ＷＭデコード部２８のＷＭ判定部４５は、電子透かし情報ＷＭが検出可能であるか否かを判断する。
【００９０】
ステップＳ２２で外部入力アナログインターフェースしかない場合で電子透かし情報が検出可能であるときは、ステップＳ２３へ進み、ステップＳ２３で、ストリーム中のＣＣＩを取り出し可能であるか否かを判断する。
【００９１】
具体的には、ＷＭデコード部２８のＷＭ判定部４５は、複製制御情報ＣＣＩが検出可能であるか否かを判断する。
【００９２】
ステップＳ２２で外部入力アナログインターフェースしかない場合で電子透かし情報が検出可能でないときで、およびステップＳ２３でストリーム中のＣＣＩを取り出し可能でないときは、ステップＳ３０へ進み、ステップＳ３０で、外部入力デジタルインターフェースがある場合でストリーム中のＣＣＩを取り出し可能であるときは、ステップＳ２４へ移行する。
【００９３】
ステップＳ３０で、外部入力デジタルインターフェースがある場合でストリーム中のＣＣＩを取り出し可能でないときは、ステップＳ３１へ移行して、ステップＳ３１で、記録を停止する。
【００９４】
具体的には、セットトップボックス３４のコントロール部３１は、外部入力としてデジタルインターフェースがないことを認識する。ＷＭデコード部２８のＷＭ判定部４５は、複製制御情報ＣＣＩが検出可能でないことを認識する。このとき、セットトップボックス３４のコントロール部３１は、デ・マルチプレクス部２３からの放送番組のビデオデータＤｉを記録部２４へ記録する動作を停止する。
【００９５】
ステップＳ２３でストリーム中のＣＣＩを取り出し可能であるときは、ステップＳ２４へ進み、ステップＳ２４で、電子透かし情報ＷＭまたは複製制御情報ＣＣＩが「複製不可」であるか否かを判断する。
【００９６】
具体的には、ＷＭデコード部２８のＷＭ判定部４５は、複製制御情報ＣＣＩが検出可能であることを認識したとき、ＷＭデコード部２８のＷＭ判定部４５は、電子透かし情報ＷＭまたは複製制御情報ＣＣＩが「複製不可」であるか否かを判断する。
【００９７】
ステップＳ２４で、電子透かし情報ＷＭまたは複製制御情報ＣＣＩが「複製不可」であるときは、ステップＳ２５へ移行して、ステップＳ２５で、記録を停止する。
【００９８】
具体的には、ＷＭデコード部２８のＷＭ判定部４５は、電子透かし情報ＷＭまたは複製制御情報ＣＣＩが「複製不可」であると判断したとき、セットトップボックス３４のコントロール部３１は、デ・マルチプレクス部２３からの放送番組のビデオデータＤｉを記録部２４へ記録する動作を停止する。
【００９９】
ここで、ストリーム中の電子透かし情報ＷＭおよび複製制御情報ＣＣＩの判別出力は、情報信号の課金方式がＰａｙ　Ｐｅｒ　Ｖｉｅｗのときは、ＣＣＩが「複製禁止（Ｎｅｖｅｒ　ｃｏｐｙ　ｏｒ　Ｃｏｐｙ　Ｐｒｏｔｅｃｔｉｏｎ）」の複製制御状態にされている。
【０１００】
従って、コントロール部３１からのコントロール信号により、情報信号の課金方式がＰａｙ　Ｐｅｒ　Ｖｉｅｗのとき、ＣＣＩが「複製禁止（Ｎｅｖｅｒ　ｃｏｐｙ　ｏｒ　Ｃｏｐｙ　Ｐｒｏｔｅｃｔｉｏｎ）」の複製制御状態のときは、記録部２４では、情報信号の記録は停止される。
【０１０１】
このとき、「複製不可」の電子透かし情報ＷＭはそのまま端子３２，３３から出力される。複製制御情報ＣＣＩは情報信号がＨＤＴＶ方式のときはＣＧＭＳ−Ａ部２７においてトリガーされ、ＳＤＴＶ方式のときはＡＰＳおよびＣＧＭＳ−Ａ部３３においてＡＰＳによりトリガーされる。
【０１０２】
ステップＳ２４で、電子透かし情報ＷＭまたは複製制御情報ＣＣＩが「複製不可」でないときは、ステップＳ２６へ進み、ステップＳ２６で、電子透かし情報ＷＭまたは複製制御情報ＣＣＩが「複製１回可」であるか否かを判断する。
【０１０３】
具体的には、ＷＭデコード部２８のＷＭ判定部４５は、電子透かし情報ＷＭまたは複製制御情報ＣＣＩが「複製不可」でないと判断したとき、ＷＭデコード部２８のＷＭ判定部４５は、電子透かし情報ＷＭまたは複製制御情報ＣＣＩが「複製１回可」であるか否かを判断する。
【０１０４】
ステップＳ２６で、電子透かし情報ＷＭまたは複製制御情報ＣＣＩが「複製１回可」であるときは、ステップＳ２７へ移行して、ステップＳ２７で、複製制御情報ｃｃｉを「これ以上複製不可」に変えて、記録を実行する。
【０１０５】
具体的には、ＷＭデコード部２８のＷＭ判定部４５は、電子透かし情報ＷＭまたは複製制御情報ＣＣＩが「複製１回可」であると判断したとき、、セットトップボックス３４のコントロール部３１は、ＣＧＭＳ−Ａ部２７、ＡＰＳおよびＣＧＭＳ−Ａ部３３においてＣＣＩを「これ以上複製不可」に変更して、、デ・マルチプレクス部２３からの放送番組のビデオデータＤｉを記録部２４へ記録する動作を実行する。
【０１０６】
ここで、情報信号の放送方式がＨＤＴＶ方式のとき、および、放送される情報信号の受信をする受信機がＣＧＭＳ−Ａ発生義務を有しているときは、電子透かし情報ＷＭが「複製禁止、但し特例あり」の複製制御状態にされている。
【０１０７】
また、特例のときは、ストリーム中のＣＣＩ取り出し可能のとき、ＣＣＩが「１回複製可（Ｃｏｐｙ　Ｏｎｃｅ）」の複製制御状態にされている。
【０１０８】
また、放送方式がＳＤＴＶ方式であるときで、しかも、放送される情報信号の受信をする受信機がＣＧＭＳ−Ａ発生義務を有するものでないときには電子透かし情報ＷＭが「１回複製可（Ｃｏｐｙ　Ｏｎｃｅ）」の複製制御状態にされている。
【０１０９】
また、コントロール部３１からのコントロール信号により、情報信号の放送方式がＨＤＴＶ方式のとき、および、放送される情報信号の受信をする受信機がＣＧＭＳ−Ａ発生義務を有しているとき、電子透かし情報ＷＭが「複製禁止、但し特例あり」の複製制御状態にし、特例のときは、ストリーム中のＣＣＩ取り出し可能のとき、ＣＣＩが「１回複製可（Ｃｏｐｙ　Ｏｎｃｅ）」の複製制御状態のときは、記録部２４では、情報信号の記録は１回のみ行われ、ＣＧＭＳ−Ａ部２７においてＣＣＩを「これ以上複製不可」に変更してＨＤＴＶ方式の情報信号が出力される。また、ＡＰＳおよびＣＧＭＳ−Ａ部３３においてＣＣＩを「これ以上複製不可」に変更してＨＤ／ＳＤ変換部２９によりダウンコンバートされたＳＤＴＶ方式の情報信号が出力される。
【０１１０】
このとき、「これ以上複製不可」の複製制御情報ＣＣＩが端子３２，３３から出力される。複製制御情報ＣＣＩは情報信号がＨＤＴＶ方式のときはＣＧＭＳ−Ａ部２７においてトリガーされ、ダウンコンバートされたＳＤＴＶ方式のときはＡＰＳおよびＣＧＭＳ−Ａ部３０においてＡＰＳによりトリガーされる。
【０１１１】
また、コントロール部３１からのコントロール信号により、放送方式がＳＤＴＶ方式であるときで、しかも、放送される情報信号の受信をする受信機がＣＧＭＳ−Ａ発生義務を有するものでないときには電子透かし情報ＷＭが「１回複製可（Ｃｏｐｙ　Ｏｎｃｅ）」の複製制御状態のときは、記録部２４では、情報信号の記録は１回のみ行われ、ＣＧＭＳ−Ａ部２７においてＳＤＴＶ方式の情報信号が出力される。また、ＡＰＳおよびＣＧＭＳ−Ａ部３０においてＨＤ／ＳＤ変換部２９をスルーされたＳＤＴＶ方式の情報信号が出力される。
【０１１２】
ステップＳ２６で、電子透かし情報ＷＭまたは複製制御情報ＣＣＩが「複製１回可」でないときは、ステップＳ２８へ進み、ステップＳ２８で、電子透かし情報ＷＭまたは複製制御情報ＣＣＩが「複製自由」であるか否かを判断する。
【０１１３】
具体的には、ＷＭデコード部２８のＷＭ判定部４５は、電子透かし情報ＷＭまたは複製制御情報ＣＣＩが「複製１回可」でないと判断したとき、電子透かし情報ＷＭまたは複製制御情報ＣＣＩが「複製自由」であるか否かを判断する。
【０１１４】
ステップＳ２８で、電子透かし情報ＷＭまたは複製制御情報ＣＣＩが「複製自由」であるときは、ステップＳ２９へ移行して、ステップＳ２９で、記録を実行する。
【０１１５】
具体的には、ＷＭデコード部２８のＷＭ判定部４５は電子透かし情報ＷＭまたは複製制御情報ＣＣＩが「複製自由」であると判断したとき、セットトップボックス３４のコントロール部３１は、デ・マルチプレクス部２３からの放送番組のビデオデータＤｉを記録部２４へ記録する動作を実行する。
【０１１６】
ここで、情報信号が有料で無いときは、ＣＣＩが「複製自由（Ｃｏｐｙ　Ｆｒｅｅ）」の複製制御状態にされている。
【０１１７】
また、コントロール部３１からのコントロール信号により、情報信号が有料で無いとき、ＣＣＩが「複製自由（Ｃｏｐｙ　Ｆｒｅｅ）」の複製制御状態のときは、記録部２４では、情報信号の記録は制限なく行われ、ＣＧＭＳ−Ａ部２７においてＳＤＴＶ方式の情報信号が出力される。また、ＡＰＳおよびＣＧＭＳ−Ａ部３０においてＨＤ／ＳＤ変換部２９によりスルーされたＳＤＴＶ方式の情報信号が出力される。
【０１１８】
図６は、放送方式とＣＣＩとの関係を示す図である。
図６において、従来では、リマーキング６５により電子透かし情報ＷＭ６３を再埋め込みするようにしていたが、放送方式６１がＳＤＴＶ方式のときは○印で示すようにリマーキング６５の方法が確立していたが、ＨＤＴＶ方式のときは×印で示すようにリマーキング６５の方法が確立していなかったので、リマーキングを実行するための構成が複雑になり、また、両者ともリマーキングにより画質劣化が増大する。
【０１１９】
そこで、本実施の形態では、送信側の電子透かし情報重畳装置において、放送方式６１がＨＤＴＶ方式またはＳＤＴＶ方式であるかに応じて、複製制御情報ＣＣＩ６２を変更して、受信側のセットトップボックスの電子透かし情報検出装置において、変更された複製制御情報ＣＣＩ６２に基づいて複製制御を行う。
【０１２０】
つまり、送信側の電子透かし情報重畳装置において、放送方式６１がＨＤＴＶ方式のとき、複製制御情報ＣＣＩ６２に含まれる電子透かし情報ＷＭ６３が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、受信側のセットトップボックスの電子透かし情報検出装置において、ＣＧＭＳ−Ａ６４を「１回複製可（Ｃｏｐｙ　Ｏｎｃｅ）」の複製制御状態として、複製を１回のみ可能として、記録後は、「これ以上複製不可（Ｎｏ　Ｍｏｒｅ　Ｃｏｐｙ）」に変更して出力する
【０１２１】
図７は、映像信号に対するＣＣＩの重畳・検出を示す図である。
図７において、送信側の電子透かし情報重畳装置において、映像信号７１，７３には複製制御情報ＣＣＩとして電子透かし情報ＷＭが重畳されていて、受信側のセットトップボックスの電子透かし情報検出装置において、上述した方法により検出される。
【０１２２】
また、送信側の電子透かし情報重畳装置において、フラグ７２が送信ストリームに埋め込まれる。そして、受信側のセットトップボックスの電子透かし情報検出装置において、フラグ検出回路７５から検出信号７６として出力される。
【０１２３】
上述した本実施の形態によれば、電子透かし情報ＷＭの再埋め込みのリマーキングが不要となるので、このための構成および処理が不要となり、複製制御情報のＣＧＭＳ−Ａが読み取りできないときは、複製禁止とするので、複製制御を行う際に、情報信号のコンテンツの著作権保護の観点からより安全な方向に制御することができる。
【０１２４】
また、上述した本実施の形態では、セットトップボックス３４の記録部２４として、ＨＤＤ内蔵型受信機を例として示したが、これに限らず、複製制御情報としてＣＣＩと情報信号のコンテンツを安全に取り出して信号処理することができる装置であれば、他の記録媒体にも適用することができることはいうまでもない。
【０１２５】
また、上述した本実施の形態では、映像信号を中心に説明したが、これに限らず、音声信号の場合でも同様にして適用することができる。
【０１２６】
ここで、情報信号は、例えば、動画像データ信号、静止画像データ信号，映画データ信号、音楽データ信号、音声データ信号、テキストデータ信号、またはコンピュータプログラムデータ信号である。また、この情報信号を記録する記録メディアは、ＨＤＤ、ディスク状記録媒体ディスク状記録媒体に限らず例えば、ＤＶＤ（Ｄｉｇｉｔａｌ　Ｖｅｒｓａｔｉｌｅ　Ｄｉｓｃ）、ＤＶＨＳ（Ｄｉｇｉｔａｌ　Ｖｉｄｅｏ　Ｈｏｍｅ　Ｓｙｓｔｅｍ）、ＤＶＣ（Ｄｉｇｉｔａｌ　Ｖｉｄｅｏ　Ｃａｍｅｒａ）、ＭＤ（Ｍｉｎｉ　Ｄｉｓｃ）、ＣＤ（Ｃｏｍｐａｃｔ　Ｄｉｓｃ）、ＶＨＳまたは８ミリフォーマットの情報信号を記録可能とするように構成された、半導体メモリ、またはＢＤ（Ｂｌｕｅ−ｒａｙ　Ｄｉｓｃ）などの記録媒体であってもよい。
【０１２７】
ここで、電子透かし埋め込み情報は、例えば、情報信号の複製制御情報、著作権情報、ユーザーＩＤ、コンテンツＩＤ、日付、会社名または権利者名である。
【０１２８】
また、電子透かし埋め込み情報は、スペクトラム拡散、パッチワークなどのウオーターマーキング処理により符号化さてもよい。
【０１２９】
【発明の効果】
この発明の情報重畳装置は、情報信号に対応する電子透かし埋め込み情報を、情報信号に重畳する情報重畳装置において、上記電子透かし埋め込み情報を発生する電子透かし発生手段と、上記情報信号の複製制御のために、上記情報信号または受信条件に応じて複製制御情報を変化させて発生する複製制御情報発生手段と、上記電子透かし発生手段から読み出された上記電子透かし情報を上記情報信号に重畳すると共に、上記複製制御情報発生手段から読み出された上記複製制御情報を上記情報信号の一部の領域に重畳する重畳手段とを備えたので、電子透かし情報の埋め込みの処理を簡略化して、送信時の処理を少なくして、複製制御を行う際に、情報信号のコンテンツの著作権保護の観点からより安全な方向に制御することができるという効果を奏する。
【０１３０】
また、この発明の情報重畳装置は、上述において、上記複製制御情報発生手段は、上記情報信号の放送方式に応じて複製制御情報を変化させて発生するので、放送方式がＨＤＴＶ方式またはＳＤＴＶ方式であるかに応じて、複製制御情報を変更して複製制御に用いることができるという効果を奏する。
【０１３１】
また、この発明の情報重畳装置は、上述において、上記複製制御情報発生手段は、上記受信条件として上記情報信号の垂直帰線期間における上記複製制御情報の出力機能の有無とするので、受信側で複製制御情報の出力機能の有無に応じて、複製制御を行う際に、制御をより緩やかまたはより厳しくして、情報信号のコンテンツの著作権保護の観点からより安全な方向に制御することができるという効果を奏する。
【０１３２】
また、この発明の情報重畳装置は、上述において、上記情報信号の放送方式として比較的画素数が少ない方式のとき、上記電子透かし情報を「複製１回可」とするので、放送方式がＳＤＴＶ方式であるとき、「複製１回可」の複製制御とすることにより、ＳＤＴＶ方式の情報信号の複製制御を行う際に、情報信号のコンテンツの著作権保護の観点からより安全な方向に制御することができるという効果を奏する。
【０１３３】
また、この発明の情報重畳装置は、上述において、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」とするので、放送方式がＨＤＴＶ方式のとき、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＨＤＴＶ方式の情報信号の複製制御を行う際に、情報信号のコンテンツの著作権保護の観点からより安全な方向に制御することができるという効果を奏する。
【０１３４】
また、この発明の情報重畳装置は、上述において、上記受信条件として上記情報信号の垂直帰線期間における上記複製制御情報の出力機能を有しないとき、上記電子透かし情報を「複製１回可」とするので、受信側で複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１３５】
また、この発明の情報重畳装置は、上述において、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」とするので、放送方式がＳＤＴＶ方式であっても、受信側で複製制御情報のＣＧＭＳ−Ａが読み取りできるときは、電子透かし情報が「複製禁止（Ｎｅｖｅｒ　ｃｏｐｙ　ｏｒＣｏｐｙ　Ｐｒｏｔｅｃｔｉｏｎ）」の複製制御状態であっても、特例ありとして、複製制御情報に基づく複製制御とすることにより、ＳＤＴＶ方式の情報信号の複製制御を行う際に、情報信号のコンテンツの著作権保護の観点からより安全な方向に制御することができるという効果を奏する。
【０１３６】
また、この発明の情報検出装置は、情報信号に電子透かし埋め込み情報を重畳された情報信号から、上記電子透かし埋め込み情報を検出する情報検出装置において、上記電子透かし埋め込み情報を発生する電子透かし発生手段と、上記電子透かし埋め込み情報が重畳された情報信号に対して、上記電子透かし情報および上記情報信号または受信条件に応じて変化される複製制御情報を検出する検出手段と、上記検出手段の検出出力に基づいて、上記電子透かし情報および上記変化される複製制御情報に基づく複製制御状態を判定する判定手段とを備えたので、電子透かし情報の再埋め込みのリマーキングが不要となるので、このための構成および処理が不要となり、複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１３７】
また、この発明の情報検出装置は、上述において、上記判定手段は、上記情報信号の放送方式に応じて複製制御情報を変化させて出力するので、放送方式がＨＤＴＶ方式またはＳＤＴＶ方式であるかに応じて、複製制御情報を変更して複製制御に用いることができるという効果を奏する。
【０１３８】
また、この発明の情報検出装置は、上述において、上記判定手段は、上記受信条件として上記情報信号の垂直帰線期間における上記複製制御情報の出力機能の有無とするので、受信側で複製制御情報の出力機能の有無に応じて、複製制御を行う際に、制御をより緩やかまたはより厳しくして、情報信号のコンテンツの著作権保護の観点からより安全な方向に制御することができるという効果を奏する。
【０１３９】
また、この発明の情報検出装置は、上述において、上記判定手段は、上記情報信号の放送方式として比較的画素数が少ない方式のとき、上記電子透かし情報を「複製１回可」として出力するので、放送方式がＳＤＴＶ方式であるとき、「複製１回可」の複製制御とすることにより、ＳＤＴＶ方式の情報信号の複製制御を行う際に、情報信号のコンテンツの著作権保護の観点からより安全な方向に制御することができるという効果を奏する。
【０１４０】
また、この発明の情報検出装置は、上述において、上記判定手段は、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」として出力するので、放送方式がＨＤＴＶ方式のとき、電子透かし情報が「複製禁止（Ｎｅｖｅｒ　ｃｏｐｙ　ｏｒＣｏｐｙ　Ｐｒｏｔｅｃｔｉｏｎ）」の複製制御状態であっても、特例ありとして、複製制御情報に基づく複製制御とすることにより、ＨＤＴＶ方式の情報信号の複製制御を行う際に、情報信号のコンテンツの著作権保護の観点からより安全な方向に制御することができるという効果を奏する。
【０１４１】
また、この発明の情報検出装置は、上述において、上記判定手段は、上記受信条件として上記情報信号の垂直帰線期間における上記複製制御情報の出力機能を有しないとき、上記電子透かし情報を「複製１回可」として出力するので、受信側で複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１４２】
また、この発明の情報検出装置は、上述において、上記判定手段は、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」として出力するので、放送方式がＳＤＴＶ方式であっても、受信側で複製制御情報のＣＧＭＳ−Ａが読み取りできるときは、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＳＤＴＶ方式の情報信号の複製制御を行う際に、情報信号のコンテンツの著作権保護の観点からより安全な方向に制御することができるという効果を奏する。
【０１４３】
また、この発明の情報重畳方法は、情報信号に対応する電子透かし埋め込み情報を、情報信号に重畳する情報重畳方法において、上記電子透かし埋め込み情報を発生する電子透かし発生ステップと、上記情報信号の複製制御のために、上記情報信号または受信条件に応じて複製制御情報を変化させて発生する複製制御情報発生ステップと、上記電子透かし発生ステップから読み出された上記電子透かし情報を上記情報信号に重畳すると共に、上記複製制御情報発生ステップから読み出された上記複製制御情報を上記情報信号の一部の領域に重畳する重畳ステップとを備えたので、電子透かし情報の埋め込みの処理を簡略化して、送信時の処理を少なくして、複製制御を行う際に、情報信号のコンテンツの著作権保護の観点からより安全な方向に制御することができるという効果を奏する。
【０１４４】
また、この発明の情報重畳方法は、上述において、上記複製制御情報発生ステップは、上記情報信号の放送方式に応じて複製制御情報を変化させて発生するので、放送方式がＨＤＴＶ方式またはＳＤＴＶ方式であるかに応じて、複製制御情報を変更して複製制御に用いることができるという効果を奏する。
【０１４５】
また、この発明の情報重畳方法は、上述において、上記複製制御情報発生ステップは、上記受信条件として上記情報信号の垂直帰線期間における上記複製制御情報の出力機能の有無とするので、受信側で複製制御情報の出力機能の有無に応じて、複製制御を行う際に、制御をより緩やかまたはより厳しくして、情報信号のコンテンツの著作権保護の観点からより安全な方向に制御することができるという効果を奏する。
【０１４６】
また、この発明の情報重畳方法は、上述において、上記情報信号の放送方式として比較的画素数が少ない方式のとき、上記電子透かし情報を「複製１回可」とするので、放送方式がＳＤＴＶ方式であるとき、「複製１回可」の複製制御とすることにより、ＳＤＴＶ方式の情報信号の複製制御を行う際に、情報信号のコンテンツの著作権保護の観点からより安全な方向に制御することができるという効果を奏する。
【０１４７】
また、この発明の情報重畳方法は、上述において、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」とするので、放送方式がＨＤＴＶ方式のとき、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＨＤＴＶ方式の情報信号の複製制御を行う際に、情報信号のコンテンツの著作権保護の観点からより安全な方向に制御することができるという効果を奏する。
【０１４８】
また、この発明の情報重畳方法は、上述において、上記受信条件として上記情報信号の垂直帰線期間における上記複製制御情報の出力機能を有しないとき、上記電子透かし情報を「複製１回可」とするので、受信側で複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１４９】
また、この発明の情報重畳方法は、上述において、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」とするので、放送方式がＳＤＴＶ方式であっても、受信側で複製制御情報のＣＧＭＳ−Ａが読み取りできるときは、電子透かし情報が「複製禁止（Ｎｅｖｅｒ　ｃｏｐｙ　ｏｒＣｏｐｙ　Ｐｒｏｔｅｃｔｉｏｎ）」の複製制御状態であっても、特例ありとして、複製制御情報に基づく複製制御とすることにより、ＳＤＴＶ方式の情報信号の複製制御を行う際に、情報信号のコンテンツの著作権保護の観点からより安全な方向に制御することができるという効果を奏する。
【０１５０】
また、この発明の情報検出方法は、情報信号に電子透かし埋め込み情報を重畳された情報信号から、上記電子透かし埋め込み情報を検出する情報検出方法において、上記電子透かし埋め込み情報を発生する電子透かし発生ステップと、上記電子透かし埋め込み情報が重畳された情報信号に対して、上記電子透かし情報および上記情報信号または受信条件に応じて変化される複製制御情報を検出する検出ステップと、上記検出ステップの検出出力に基づいて、上記電子透かし情報および上記変化される複製制御情報に基づく複製制御状態を判定する判定ステップとを備えたので、電子透かし情報の再埋め込みのリマーキングが不要となるので、このための構成および処理が不要となり、複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１５１】
また、この発明の情報検出方法は、上述において、上記判定ステップは、上記情報信号の放送方式に応じて複製制御情報を変化させて出力するので、放送方式がＨＤＴＶ方式またはＳＤＴＶ方式であるかに応じて、複製制御情報を変更して複製制御に用いることができるという効果を奏する。
【０１５２】
また、この発明の情報検出方法は、上述において、上記判定ステップは、上記受信条件として上記情報信号の垂直帰線期間における上記複製制御情報の出力機能の有無とするので、受信側で複製制御情報の出力機能の有無に応じて、複製制御を行う際に、制御をより緩やかまたはより厳しくして、情報信号のコンテンツの著作権保護の観点からより安全な方向に制御することができるという効果を奏する。
【０１５３】
また、この発明の情報検出方法は、上述において、上記判定ステップは、上記情報信号の放送方式として比較的画素数が少ない方式のとき、上記電子透かし情報を「複製１回可」として出力するので、放送方式がＳＤＴＶ方式であるとき、「複製１回可」の複製制御とすることにより、ＳＤＴＶ方式の情報信号の複製制御を行う際に、情報信号のコンテンツの著作権保護の観点からより安全な方向に制御することができるという効果を奏する。
【０１５４】
また、この発明の情報検出方法は、上述において、上記判定ステップは、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」として出力するので、放送方式がＨＤＴＶ方式のとき、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＨＤＴＶ方式の情報信号の複製制御を行う際に、情報信号のコンテンツの著作権保護の観点からより安全な方向に制御することができるという効果を奏する。
【０１５５】
また、この発明の情報検出方法は、上述において、上記判定ステップは、上記受信条件として上記情報信号の垂直帰線期間における上記複製制御情報の出力機能を有しないとき、上記電子透かし情報を「複製１回可」として出力するので、受信側で複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１５６】
また、この発明の情報検出方法は、上述において、上記判定ステップは、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」として出力するので、放送方式がＳＤＴＶ方式であっても、受信側で複製制御情報のＣＧＭＳ−Ａが読み取りできるときは、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＳＤＴＶ方式の情報信号の複製制御を行う際に、情報信号のコンテンツの著作権保護の観点からより安全な方向に制御することができるという効果を奏する。
【０１５７】
また、この発明の重畳情報検出システムは、情報重畳装置において情報信号に電子透かし埋め込み情報を重畳し、情報検出装置において情報信号に電子透かし埋め込み情報が重畳された情報信号から、上記電子透かし埋め込み情報を検出する重畳情報検出システムにおいて、情報重畳装置は、記電子透かし埋め込み情報を発生する電子透かし発生手段と、上記情報信号の複製制御のために、上記情報信号または受信条件に応じて複製制御情報を変化させて発生する複製制御情報発生手段と、上記電子透かし発生手段から読み出された上記電子透かし情報を上記情報信号に重畳すると共に、上記複製制御情報発生手段から読み出された上記複製制御情報を上記情報信号の一部の領域に重畳する重畳手段とを備え、情報検出装置は、上記電子透かし埋め込み情報を発生する電子透かし発生手段と、上記電子透かし埋め込み情報が重畳された情報信号に対して、上記電子透かし情報および上記情報信号または受信条件に応じて変化される複製制御情報を検出する検出手段と、上記検出手段の検出出力に基づいて、上記電子透かし情報および上記変化される複製制御情報に基づく複製制御状態を判定する判定手段とを備えたので、電子透かし情報の埋め込みの処理を簡略化して、送信時の処理を少なくして、複製制御を行う際に、情報信号のコンテンツの著作権保護の観点からより安全な方向に制御することができると共に、電子透かし情報の再埋め込みのリマーキングが不要となるので、このための構成および処理が不要となり、複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１５８】
また、この発明の重畳情報検出システムは、上述において、上記複製制御情報発生手段は、上記情報信号の放送方式に応じて複製制御情報を変化させて発生し、上記判定手段は、上記情報信号の放送方式に応じて複製制御情報を変化させて出力するので、放送方式がＨＤＴＶ方式またはＳＤＴＶ方式であるかに応じて、複製制御情報を変更して複製制御に用いることができるという効果を奏する。
【０１５９】
また、この発明の重畳情報検出システムは、上述において、上記複製制御情報発生手段は、上記受信条件として上記情報信号の垂直帰線期間における上記複製制御情報の出力機能の有無とし、上記判定手段は、上記受信条件として上記情報信号の垂直帰線期間における上記複製制御情報の出力機能の有無とするので、受信側で複製制御情報の出力機能の有無に応じて、複製制御を行う際に、制御をより緩やかまたはより厳しくして、情報信号のコンテンツの著作権保護の観点からより安全な方向に制御することができるという効果を奏する。
【０１６０】
また、この発明の重畳情報検出システムは、上述において、上記複製制御情報発生手段は、上記情報信号の放送方式として比較的画素数が少ない方式のとき、上記電子透かし情報を「複製１回可」とし、上記判定手段は、上記情報信号の放送方式として比較的画素数が少ない方式のとき、上記電子透かし情報を「複製１回可」として出力するので、放送方式がＳＤＴＶ方式であるとき、「複製１回可」の複製制御とすることにより、ＳＤＴＶ方式の情報信号の複製制御を行う際に、情報信号のコンテンツの著作権保護の観点からより安全な方向に制御することができるという効果を奏する。
【０１６１】
また、この発明の重畳情報処理システムは、上述において、上記複製制御情報発生手段は、上記情報信号の放送方式として比較的画素数が多い方式のとき、上記電子透かし情報を「複製禁止、但し特例有り」とし、上記特例は「複製制御情報が得られるときは複製制御情報に応じた複製制御としてもよい」とし、上記判定手段は、上記情報信号の放送方式として比較的画素数が少ない方式のとき、上記電子透かし情報を「複製禁止、但し特例有り」とし、上記特例は「複製制御情報が得られるときは複製制御情報に応じた複製制御としてもよい」として出力するので、放送方式がＨＤＴＶ方式のとき、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＨＤＴＶ方式の情報信号の複製制御を行う際に、情報信号のコンテンツの著作権保護の観点からより安全な方向に制御することができるという効果を奏する。
【０１６２】
また、この発明の重畳情報処理システムは、上述において、上記複製制御情報発生手段は、上記受信条件として上記情報信号の垂直帰線期間における上記複製制御情報の出力機能を有しないとき、上記電子透かし情報を「複製１回可」とし、上記判定手段は、上記受信条件として上記情報信号の垂直帰線期間における上記複製制御情報の出力機能を有しないとき、上記電子透かし情報を「複製１回可」として出力するので、受信側で複製制御情報のＣＧＭＳ−Ａが読み取りできないときは、複製禁止とするので、複製制御を行う際に、情報信号のコンテンツの著作権保護の観点からより安全な方向に制御することができるという効果を奏する。
【０１６３】
また、この発明の重畳情報処理システムは、上述において、上記複製制御情報発生手段は、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」とし、上記判定手段は、上記受信条件として上記情報信号の垂直帰線期間における上記複製制御情報の出力機能を有するとき、上記電子透かし情報を「複製禁止、但し特例有り」とし、上記特例は「複製制御情報が得られるときは複製制御情報に応じた複製制御としてもよい」として出力するので、放送方式がＳＤＴＶ方式であっても、受信側で複製制御情報のＣＧＭＳ−Ａが読み取りできるときは、電子透かし情報が「複製禁止（Ｎｅｖｅｒ　ｃｏｐｙ　ｏｒ　Ｃｏｐｙ　Ｐｒｏｔｅｃｔｉｏｎ）」の複製制御状態であっても、特例ありとして、複製制御情報に基づく複製制御とすることにより、ＳＤＴＶ方式の情報信号の複製制御を行う際に、情報信号のコンテンツの著作権保護の観点からより安全な方向に制御することができるという効果を奏する。
【図面の簡単な説明】
【図１】本実施の形態に適用される電子透かし情報重畳装置の構成例を示すブロック図である。
【図２】セットトップボックスの構成を示すブロック図である。
【図３】電子透かし検出装置の構成を示すブロック図である。
【図４】放送側の動作を示すフローチャートである。
【図５】受信側の動作を示すフローチャートである。
【図６】放送方式とＣＣＩとの関係を示す図である。
【図７】映像信号に対するＣＣＩの重畳・検出を示す図である。
【符号の説明】
１……同期検出部、２……タイミング信号発生部、３……ＰＮａ発生部、４……ＳＳ拡散部、５……複製制御情報（ＣＣＩ）発生部、６……レベル調整部、７……ＷＭ重畳部、８……有料判定部、９……課金判定部、１０……放送方式判定部、１１……受信機判定部、１２……電子透かし情報重畳装置、２１……選局部、２２……デ・スクランブル部、２３……デ・マルチプレクス部、２４……記録部、２５……暗号解凍部、２６……ＭＰＥＧ復号部、２７……ＣＧＭＳ−Ａ部、２８……ＷＭデコード部，２９……ＨＤ／ＳＤ変換部、３０……ＡＰＳおよびＣＧＭＳ−Ａ部、３１……コントロール部、３２，３３……端子、３４……セットトップボックス、４１……同期検出部、４２……タイミング信号発生部、４３……ＰＮａ発生部、４４……逆拡散部、４５……ＷＭ判定部、６１……放送方式、６２……ＣＣＩ，６３……ＷＭ、６４……ＣＧＭＳ−Ａ、６５……リマーキング、６６……ＨＤ、６７……ＳＤ、７１，７３……映像信号、７２……ＣＣＩ、７４……ヘッダー部分、７５……フラグ検出回路、７６……ＣＣＩ出力
【図１】
2004080153.tif 000008
【図２】
2004080153.tif 000009
【図３】
2004080153.tif 000010
【図４】
2004080153.tif 000011
【図５】
2004080153.tif 000012
【図６】
2004080153.tif 000013
【図７】
2004080153.tif 000014